(57)【要約】【課題】  使用する場合に、温度を正確に掌握でき、且つ温度を均一化させ、温度を高精密度によってコントロールできるようにする。【解決手段】  ボトム・ベースＡの上下方７、１蓋に対応して区画壁１１を配設し、且つ区画壁１１のある側に加熱皿２を配設し、且つ加熱皿２の底部に放熱片３を配設し、且つ位置決めベース４によってそれを上方蓋７の内側に固着し、且つ位置決めベース４の側辺部には凹槽４１が形成され、そこに活動式の温度検出ベース５３をを有するセンサー５を配設し、且つ前記の区画壁１１の他の側に電気回路基板６を配設する。【選択図】図１
0003113891.tif 000002
【実用新案登録請求の範囲】
【請求項１】
放熱孔７３を配し、コントロールパネル部７４を配し、孔部７１を配した上方蓋７、通気孔１４を配した下方蓋１と、加熱皿２と、放熱片３と、位置決めベース４と、活動式の温度検出ベースとセンサー５と、電気回路基板６からなり、前記の上下方蓋７、１の内部にはそれぞれ一つの区画壁１１、７２が対応して配設され、その区画壁１１、７２によって、上下方蓋７、１内を加熱区１２と検出区１３とに区分し、前記の下方蓋１の加熱区１２内には加熱皿２が底部に放熱片３を配して配設され、また、前記加熱皿２は、側辺部に凹槽４１を配した位置決めベース４を介して前記上方蓋７の内側に固定するとともに、その位置決めベース４の側辺部に形成された凹槽４１には活動式の温度検出ベースのセンサー５を電気回路基板６と対応接続して配設し、孔部７１を有する上方蓋７を前記の下方蓋１にカバーし、前記の加熱皿４と放熱片３と活動式の温度検出ベースのセンサー５を孔部７１並びにコントロールパネルを配した上方蓋７に収容して構成したことを特徴とする電子式保温装置加熱ボトム・ベース。
【請求項２】
前記の活動式の温度検出ベースは、トリガー・スイッチと付熱部材とからなるものを使用し、その中では、左右ベースにそれぞれ貫通配設部材が配設され、且つ前記の温度検出ベースの中央部には穿孔が形成され、且つその他端部が温度検出部となるように設定し、且つその他の端部には付熱部材が付設され、その活動式の温度検出ベースの付熱部材が前記のトリガー・スイッチに付設され、且つ前記の付熱部材が前記の活動式温度検出ベースの穿孔部に対応されて、左右ベースの貫通部材を活動式温度検出ベースに対応貫通させ、且つトリガー・スイッチと付熱部材とを一体になるように組立てるようにしたことを特徴とする請求項１に記載の電子式保温装置加熱ボトム・ベース。
【請求項３】
前記下方蓋内の検出区には複数の通気孔同士が形成されることに対し、前記の上方蓋の周縁部には放熱孔同士が形成され、涼しい空気が前記の下方蓋の通気孔より導入され、上方蓋の放熱孔に沿って熱いガスを排出し、冷熱対流の方式によって空気を流通させる構成としたことを特徴とする請求項１に記載の電子式保温装置加熱ボトム・ベース。
【請求項４】
前記の電気回路基板として温度をコントロール及びディスプレイ可能な電気部材を使用することを特徴とする請求項１に記載の電子式保温装置加熱ボトム・ベース。
【請求項５】
前記の上方蓋の前記の電気回路基板に対応する箇所にはディスプレイ・コントロール・パネルが配設されることを特徴とする請求項１に記載の電子式保温装置加熱ボトム・ベース。
【考案の詳細な説明】
【技術分野】
【０００１】
本考案は、電子式保温装置加熱ボトム・ベース構造に係わり、特にボトム・ベースの側辺部に隔離してセンサーを配設することによって直接に容器の液体の温度の反応を検出でき、精確的に温度測定の効果を図り、且つ対応する放熱片と放熱孔部が配設され、保温装置の内部の熱的ガスを快速的に放熱させる効果を図ることができ、温度の検出及びコントロールの機能を影響を与えないようにする、電子式保温装置加熱ボトム・ベースを提供する。
【背景技術】
【０００２】
さて、飲料水などについては、加熱を実行する場合に、大体加熱保温装置を使用する必要があり、一般の加熱保温装置には、大体電熱皿が配設され、また、一般の電熱皿の構成は、大体基本ベースと電熱皿と上方蓋ベースとからなるオーブンの構造となっており、その中では、前記の基本ベースにおいてはコントロール・デバイスを備え、また、前記の電熱皿が前記の基本ベースの内部に収納される。また、前記の上方蓋ベースと前記の基本ベース蓋と組立てられ、前記の基本ベースのコントロール・スイッチに対応するコントロール・パネルが配設され、他に、その上方には載置パネルが配設され、その内部の電熱皿がそれと対応するように設定され、その特徴として、前記の電熱皿の周縁部には対称しあう挿入槽が形成され、電熱管の挿入を受け取ることができ、また、その挿入槽の上方にはストッパーが形成され、こうすると、電熱管の両端部を前記の皿における挿入槽に差し込む後に、前記のストッパーを引き下げて電熱管を遮蔽し、且つ組立部位の空隙を緊密になるように覆い、こうすると、熱的エネルギーが隙間より染み出すことや散逸されることなどを効果的に防止でき、熱的エネルギーの効果を増加できる。
【０００３】
前記の説明から分かるように、一般の周知の電熱皿の構造は、使用者の達成しようとする加熱するための温度にはすべて加熱する要求を達成できるが、所定の加熱温度に達成しようとする場合に、またはコントロールして保温を実行しようとする場合においては、その温度のコントロールが不好適であり、前記の構造においては、電熱皿の下の電熱管が所要する温度に達成しようとする場合に、そのコントロール・パネルのコントロール・スイッチが加熱される容器の正確的な温度を検出できないため、その温度を精密的にコントロールできなくなり、また、その内部空間が貫通して隔離するための手段が存在していないため、温度の検出が不適切になってしまう場合がある。
【０００４】
前記のそれぞれの課題に鑑みて、本考案の考案者は、研究開発を進め、その加熱用の電熱皿の構造を従来の温度検出と温度コントロールなどのそれぞれの課題を解消できることが出来る構造になるように創作できれば、消費者に歓迎されると信じているので、本考案の考案者はその理念に基づいて本考案を創作した。
【考案の開示】
【考案が解決しようとする課題】
【０００５】
そのため、本考案は、加熱及び対流放熱を有する環境では、正確的に温度を検出及び精密的にコントロールできる、電子式保温装置加熱ボトム・ベースを提供することをその主要な解決しようとする課題とする。
【課題を解決するための手段】
【０００６】
前記の目的を図るために、本考案は、ボトム・ベースの上下方蓋に対応して区画壁を配設することによって断熱の効果を図り、且つ区画壁のある側に加熱皿を配設し、且つ加熱皿がその底部に放熱片が配設され、温度を降下させる後に、また、位置決めベースによってそれを上方蓋の内側に固着し、且つその位置決めベースの側辺部には凹槽が形成され、そこに活動式の温度検出ベースをを有するセンサーを配設し、容器の側辺部に接させることによって容器内の液体の温度反応を検出し、同時に、その区画壁の他の側に電気回路基板を配設し、前記の温度検出装置の信号を受信して温度のコントロールを実行するようにした、電子式保温装置加熱ボトム・ベースを提供する。
【考案を実施するための最良の形態】
【０００７】
本考案の達成しようと目的とその効果については、以下に本考案の実施可能な実施の形態を挙げて図面を参照しながら、詳しく説明をする。
【０００８】
まず、図１に示すのは、本考案の電子式保温装置加熱ボトム・ベースを示す分解斜視図であり、そのボトム・ベースＡは、主に、下方蓋１と、加熱皿２と、放熱片３と、位置決めベース４と、センサー５と、電気回路基板６と、上方蓋７とからなるものである。その中では、前記の下方蓋１内に区画壁１１が配設され、ボトム・ベースを加熱区１２と検出区１３とに区分し、また、前記の検出区１３には複数の通気孔同士１４が形成されている。
【０００９】
また、前記の加熱皿２は前記の下方蓋１の加熱区２内に配設され、且つその加熱皿２の底部には放熱片３が配設され、加熱皿２に高温を排熱させるように処理する。
【００１０】
また、前記の位置決めベース４が前記の加熱皿２を前記の下方蓋１内に固着し、且つその位置決めベース４には凹槽４１が形成されている。
【００１１】
前記のセンサー５が左右ベース５１，５２と活動式温度検出ベース５３とトリガー・スイッチ５４と付勢部材５５とからなり、それらの左右ベース５１，５２にはそれぞれ貫通部材５１１，５２１が配設され、また、前記の活動式温度検出ベース５３の中央部には穿孔５３１が形成され、そのある端部には温度検出部５３２となり、且つその他の端部には付設部材５３３が配設され、前記の活動式温度検出ベース５３の前記の付設部材５３３が前記トリガー・スイッチ５４に付設され、且つ前記の付勢部材５５が前記の活動式温度検出ベース５３の穿孔箇所５３１に対応され、こうすると、前記の左右ベース５１，５２の貫通部材５１１，５２１を前記活動温度検出ベース５３、トリガー・スイッチ５４と、付勢部材５５に対応貫通させることによって一体となるように組立てる（図２参照）。
【００１２】
前記の電気回路基板６が前記のボトム・ベースＡの電源コントロールと温度を表示するための電気部材である（それは本考案の主要な創作の標的ではないので、くどくどしい説明を省略する）。
【００１３】
また、前記の上方蓋７が前記の下方蓋１に対応して配設されるものであり、その中央部には孔部７１が形成され、加熱皿２を収納でき、また、前記の下方蓋１の区画壁１１に対応する箇所には同様に区画壁７２が配設され、また、前記の上方蓋７の周囲には複数の放熱孔部７３が形成され、且つディスプレイ・コントロール・パネル７４も配設されている。
【００１４】
図３に示すように、組立てる場合に、まず、センサー５の左右ベース５１，５２を前記の貫通部材５１１，５２１を介して活動式温度検出ベース５３とトリガー・スイッチ５４と付勢部材５５に対応貫通させ、且つ活動式温度検出ベース５３の付設部材５３３を前記のトリガー・スイッチ５４に付設させ、また、前記の付勢部材５５が前記の活動式温度検出ベース５３の穿孔５３１に対応され、かつ弾性部材５５を前記の活動式温度検出ベース５３と左ベース５２との間に係止され、その活動式温度検出ベース５３に付勢回復力を有させるように設定し、こうすると、全体を成形させるようにすることができる。その後、放熱片３が配設される加熱皿２を前記下方蓋１の加熱区１２に対応配設し、それから前記の位置決めベース４を加熱皿２に対応して覆って固定させる。
【００１５】
それから、組立終了後のセンサー５を前記の位置決めベース４の凹槽４１に対応配設し、センサー５の活動温度検出ベース５３を位置決めベース４の凹槽４１の箇所に位置決めさせ、且つ下方蓋１の区画壁１１に位置する加熱区１２に位置させ、且つ前記のセンサー５の活動式温度検出ベース５３とトリガー・スイッチ５４とがリードを接続して電気回路基板６と導通するようになり、且つ前記の電気回路基板６が前記下方蓋１の検出区１３内に配設され、最後に、前記の上方蓋７を前記の下方蓋１に対応して覆い、前記の上方蓋７の区画壁７２が下方蓋１の区画壁１１に対応させて覆わせ、且つ加熱皿２を前記の上方蓋７の孔部７１よりアピールさせ、且つセンサー５の活動式温度検出ベース５３が丁度上方蓋７の孔部７１の周りに位置し、同時にその上方蓋７のディスプレイ・コンとオール・パネル７４が前記の電気回路基板６に対応して覆えばよい。
【００１６】
使用時に、液体を収納する容器Ｂを加熱皿２に配設し、容器Ｂの周縁部とセンサー５の活動式温度検出ベース５３と接触させ、この時に、ベースＡが電気導通状態にあり、また、前記のディスプレイ・コントロール・パネル７４に対し所要する加熱温度を設定すると、電気回路基板６がコマンドを発行して加熱皿２を漸次的に加熱させ、前記検出センサー５の活動式温度検出ベース５３が前記の位置決めベース４の凹槽４１に位置するとともに、容器Ｂの周縁部にタッチし、こうすると、活動式温度検出ベース５３の温度検出部５３２に精確的に容器Ｂ内の液体の加熱されることの温度反応を検出させることができる、所定の温度に達すると、電気回路基板６に前記の加熱皿２に通信し、加熱を中止させ、容器Ｂに保温する状態に保持させる。使用者は容器Ｂを取り出そうとする場合では、容器ＢがベースＡのセンサー５より離れる場合に、前記のベースＡが電気がきれる状態になり、そのことによって電気使用の安全性を確保する。
【００１７】
また、前記の加熱皿２の加熱時に生じる熱的ガスが前記の上方蓋７の放熱孔部７３より外方へ排出され、それから、この気体の流動現象によって、下方蓋１の通気孔１４が外部の涼しい空気を導入でき、こうすると、冷熱対流の放熱効果を取得でき、涼しい空気が前記の通気孔１４より下方蓋１の検出区１３に導入される場合に、検出区１３内の温度が室温状態に保持され、電気回路基板６の温度の検出作用をさらに正確にならせることができる。
【産業上の利用可能性】
【００１８】
前記の説明から分かるように、本考案の電子式保温装置加熱ボトム・ベースによる場合では、少なくとも下記のような複数の産業上の利用可能性を有している：
（１）本考案の電子式保温装置加熱ボトム・ベースは、側辺部におけるセンサーに活動式温度検出ベースの検出部を配設することによって直接に加熱される容器の周辺部周囲を接触できるので、その検出される温度値がさらに精確的にならせることができ、且つボトム・ベースＡ全体の電気性スイッチとして使用できるので、電気使用の安全性を確保できる。
（２）本考案による電子式保温装置加熱ボトム・ベースは、上方蓋と下方蓋との間に区画壁を配設することによって、加熱皿と電気回路基板などの温度コントロール部材とをその両側に隔離区分するので、その加熱皿の加熱される温度が電気回路基板の温度検出の効果には影響を与えなく、こうすると、その検出される温度がさらに精確的になるとともに、電気回路基板のそれぞれの素子の使用寿命を大幅に延長できる。
（３）本考案の電子式保温加熱ボトム・ベースにおいては、その下方蓋には通気孔が形成され、且つその加熱皿の下方には放熱片が配設され、且つその上方蓋には放熱孔部が配設されるので、こうすると、加熱皿が加熱される場合に生成される高温が前記の放熱片より放熱されるほか、前記の上方蓋の放熱孔より熱的ガスを排気することもでき、且つ涼しい空気を下方蓋の通気孔より内部へ入ることができるので、その冷熱対流の方式によってその周囲の温度が温度検出することに影響を与えないように設定することができる。
【００１９】
そのため、前記の説明したように、本考案は従来技術と比較する場合では、同様に熱伝導の機能を有するほかに、本考案に対し、使用者が使用する場合に、温度を正確に掌握でき、且つ温度を均一化させ、温度を高精密度によってコントロールできることなどの多くの優れる点を有するので、実用性に富む創作に属すると認められ、従来の前記のそれぞれの課題を効果的に解消でき、且つ効果性には増進することがあり、且つ進歩性を有し、ごく産業上の利用性に富む実用新案の創作と言える。
【００２０】
前記に説明したように、本考案は、進歩性と産業上の利用性とを有しつつ、まだ公開的に発表されることはないので、既に実用新案登録の要件を満足し、ご査察の上、早期に公開されるよう宜しくお願い申し上げますこと。
【００２１】
また、前記に説明した具体的な構成は、単に本考案の実施可能な実施例に過ぎなく、本考案の実施範囲を局限するものではなく、本考案の主張範囲の要旨に基づいて実施されるすべての相同の効果を有する他の改造や変更や一部転用などのこともすべて本考案の主張範囲内に納入されるべきことが言うまでもないことである。
【図面の簡単な説明】
【００２２】
【図１】本考案の構成を示す外見斜視図である。
【図２】本考案のセンサーの構成を示す外見斜視図である。
【図３】本考案の構成を示す断面図である。
【符号の説明】
【００２３】
Ａ      ボトム・ベース
Ｂ      容器
１      下方蓋
２      加熱皿
３      放熱片
４      位置決めベース
５      センサー
６      電気回路基板
７      上方蓋
１１    区画壁
１２    加熱区
１３    検出区
１４    通気孔
４１    凹槽
５１    左ベース
５２    右ベース
５３    活動式温度検出ベース
５４    トリガー・スイッチ
５５    付勢部材
７１    孔部
７２    区画壁
７３    放熱孔（部）
７４    コントロール・パネル
５１１  貫通部材
５２１  貫通部材
５３２  温度検出部
５３３  付設部材
【図１】
0003113891.tif 000003
【図２】
0003113891.tif 000004
【図３】
0003113891.tif 000005